(57)【要約】【課題】表示装置上に表示された撮像画像やガイドを、簡易な操作で容易に調整できる運転支援システムを提供することを目的する。   【解決手段】  表示装置４に鳥瞰表示（上空から斜め下方向を見下ろしたような表示）された画像及びガイドのずれを修正して希望とおりに表示されるように調整する場合に、ユーザは表示されている画像及びガイドをいわゆる俯瞰表示（上空から真下方向を見下ろしたような表示）に変換して修正及び調整することができる。  【選択図】 図１
2008205928.tif 000002
【特許請求の範囲】
【請求項１】
車両に搭載された撮像装置からの鳥瞰画像に基づいて俯瞰画像を生成して出力する画像切替手段と、
前記車両の操作のための第１ガイドを出力するガイド制御手段と、
前記俯瞰画像と前記第１ガイドを重畳した第１重畳画像を生成し、出力する表示制御手段と、
を備えた運転支援システムであって、
第１操作入力手段と、
画像制御手段と、
を更に備え、
前記画像制御手段又は前記ガイド制御手段は、入力された前記第１操作に応じて、前記第１重畳画像を表示する表示手段における前記俯瞰画像と前記第１ガイドとの第１の位置関係を変更することを特徴とする運転支援システム。
【請求項２】
前記画像切替手段は、前記俯瞰画像に対応する元の鳥瞰画像を出力し、ガイド制御手段は、車両の操作のための第２ガイドを出力し、
前記表示制御手段は、前記鳥瞰画像と前記第２ガイドを重畳した第２重畳画像を生成し、
前記画像制御手段又は前記ガイド制御手段は、前記第１の位置関係の変更量に基づいて、前記第２重畳画像を表示する前記表示手段における前記鳥瞰画像と前記第２ガイドとの第２の位置関係を変更することを特徴とする請求項１記載の運転支援システム。
【請求項３】
第２操作入力手段、
を更に備え、
前記画像切替手段は、入力された前記第２操作に応じて前記撮像装置の回転量を変更した俯瞰画像を生成することを特徴とする請求項１又は２に記載の運転支援システム。
【発明の詳細な説明】
【技術分野】
【０００１】
本発明は、車両を運転する際に用いられる運転支援システムに関し、特に、後方へ運転する際に、車両操作者（以下、運転者と記載する場合もある）の運転を支援するためのガイドを表示する運転支援システムに関する。
【背景技術】
【０００２】
従来、車両の後方を撮像するカメラを車両の後部に取り付け、当該カメラの撮像画像と後方運転支援のためのガイドを表示する表示装置を車内の運転席近傍に備えた運転支援システムが知られている。
【０００３】
ここで、ガイドとは、表示装置上に表示された、車両の車幅を示す線、図形又は一定の面積を占める領域、あるいは車両の先端又は後端から所定距離を示す線、図形又は一定の面積を占める領域をいう。
【０００４】
かかる運転支援システムによると、運転者は、当該表示装置を見る事により車両後部周辺の障害物を確認できるため安全な後方運転が可能となる。また、当該ガイドにより後方運転を容易に行うことが可能となる。
【０００５】
下記特許文献１には、このような後方への運転支援のためのガイドを表示する技術が開示されている。
【０００６】
しかしながら、上記運転支援システムでは、例えば、何かの拍子でカメラの取り付け位置がずれた場合には、表示装置上で撮像画像或いはガイドの位置や角度がずれてしまい、正しく表示されなくなる。
【０００７】
また、後付けでカメラを車両に取り付ける場合には、カメラの取り付け位置によっては、表示装置上で撮像画像或いはガイドの位置や角度が正しく表示されない場合がある。
【０００８】
このような場合には、撮像画像或いはガイドの位置や角度を調整して正しく表示されるようにする必要がある。撮像画像やガイドの調整は、撮像画像あるいはガイドの角度や位置を運転支援システムの操作者（以下、ユーザと記載する。）の操作により変更できる機能を、運転支援システムに付加することにより実現できる。
【０００９】
しかしながら、表示装置に表示される撮像画像は、撮像装置がその取り付け位置から斜め下方向を撮像した画像である。したがって、例えば、地面に置かれたガイド調整のための長方形の標識板も、撮像画像では、長方形とはならず、カメラ近傍の辺が、カメラ遠方の辺よりも長い台形形状となって表示される。このような撮像画像に基づいて撮像画像或いはガイドの位置や角度をユーザの希望通りに精度よく調整するのは大変困難で、手間のかかる作業である。
【００１０】
図１５は、従来の運転支援システムの構成を示している。車両１０１の後部に撮像装置１０３が取り付けられている。尚、図１５では、撮像装置１０３はその位置から斜め下方向を撮像した場合には、車両１０１のバンパー１０２が写るように取り付けられている。
【００１１】
また、車両１０１の車室内に、撮像装置１０３の撮像画像をモニターするための表示装置１０４が配置されている。
【００１２】
図１６は、ガイドの調整に使用する標識板の一例を示している。図１６の標識板には、ガイド調整用に碁盤目状に線が引かれており、横の長さは例えば、車幅の長さになるように作成されている。
【００１３】
図１７は、図１６の標識板を車両後方の所定位置に配置し、撮像装置１０３で撮像した場合に、表示装置１０４に表示されるバンパー１０２の撮像画像２００（以下、バンパー画像２００と記載する。）及び標識板の撮像画像２０１（以下、標識板画像２０１と記載する。）を示している。
【００１４】
さらに、これらの画像に重畳して表示されるガイド２０２及び２０３も示している。
【００１５】
そして、図１７では、撮像装置１０３の取り付け位置がずれたため、標識板画像２０１及びバンパー画像２００とガイド２０２及び２０３との位置関係がずれてしまった図を示している。
【００１６】
図１８は、標識板画像２０１及びバンパー画像２００とガイド２０２及び２０３との位置関係が適切に表示された図を示している。
【００１７】
ユーザが図１７から図１８の状態となるように撮像画像又はガイドの位置や角度を精度よく調整することは困難で手間のかかる作業である。
【特許文献１】特開2000-272445号
【発明の開示】
【発明が解決しようとする課題】
【００１８】
本発明は、上記問題に鑑みてなされたものであり、表示装置上に表示された撮像画像やガイドを、簡易な操作で容易に調整できる運転支援システムを提供することを目的する。
【課題を解決するための手段】
【００１９】
本発明に係る運転支援システムは、車両に搭載された撮像装置からの鳥瞰画像に基づいて俯瞰画像を生成して出力する画像切替手段と、前記車両の操作のための第１ガイドを出力するガイド制御手段と、前記俯瞰画像と前記第１ガイドを重畳した第１重畳画像を生成し、出力する表示制御手段とを備えた運転支援システムであって、第１操作入力手段と、画像制御手段とを更に備えている。
【００２０】
そして、前記画像制御手段又は前記ガイド制御手段は、入力された前記第１操作に応じて、前記第１重畳画像を表示する表示手段における前記俯瞰画像と前記第１ガイドとの第１の位置関係を変更することを特徴とする。
【００２１】
本発明に係る運転支援システムでは、さらに前記画像切替手段は、前記俯瞰画像に対応する元の鳥瞰画像を出力し、ガイド制御手段は、車両の操作のための第２ガイドを出力し、前記表示制御手段は、前記鳥瞰画像と前記第２ガイドを重畳した第２重畳画像を生成する。
【００２２】
そして、前記画像制御手段又は前記ガイド制御手段は、前記第１の位置関係の変更量に基づいて、前記第２重畳画像を表示する前記表示手段における前記鳥瞰画像と前記第２ガイドとの第２の位置関係を変更することを特徴とする。
【００２３】
本発明に係る運転支援システムは、第２操作入力手段を更に備え、前記画像切替手段は、入力された前記第２操作に応じて前記撮像装置の回転量を変更した俯瞰画像を生成することを特徴とする。
【発明の効果】
【００２４】
本発明によれば、表示装置上に表示された撮像画像やガイドを、簡易な操作で容易に調整できる運転支援システムを提供することができる。
【００２５】
本発明の意義ないし効果は、以下に示す実施の形態の説明により更に明らかとなろう。
【００２６】
ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００２７】
以下、本発明の一実施形態につき、図面を参照して具体的に説明する。
【００２８】
図１は、本発明の実施の形態に係る運転支援システムの全体構成図（機能構成図）を示している。
【００２９】
運転支援システム１は、車両後方を撮像する撮像装置２、撮像された撮像画像に対する画像処理及び画像制御、並びにガイドの表示制御を行う画像処理装置３を備えている。撮像装置２には、例えば、ＣＣＤカメラが用いられる。
【００３０】
運転支援システム１は、さらに、画像処理装置３から出力される画像及びガイドを表示する表示装置４、ユーザからの操作を受付け、かかる操作に応じた電気信号（以下、操作信号と記載する。）を生成し、画像処理装置３に出力するユーザインターフェース５（以下、ユーザＩＦ５と記載する。）を備えている。表示装置４には、例えば、液晶モニターが用いられる。
【００３１】
ユーザＩＦ５には、調整ボタンや調整ツマミ等の入力手段が備えられており、ユーザはかかる入力手段により所望の操作を行うことができる。
【００３２】
画像処理装置３は、画像切替部６、画像制御部７、ガイド制御部８、制御信号生成部９及び表示制御部１０からなる。
【００３３】
画像切替部６は、画像制御部７からの出力信号に応じて撮像装置２による撮像画像から俯瞰画像を生成する。また、生成した俯瞰画像、あるいは元の撮像画像を表示制御部１０へ出力する。
【００３４】
図２は、運転支援システム１を車両に実施した場合の構成を示している。
【００３５】
撮像装置２は、図２に示す如く車両６の後部であって、地面から高さｈoの位置に取り付けられている。そして、時計回りを正とし、水平方向に対する撮像装置２の傾きを俯角（α）といい、θｏ（θo＝１８０−α）を取り付け角という。
【００３６】
図３は、撮像装置２からの撮像画像と俯瞰画像との関係を説明するための模式図である。
【００３７】
図３において、車両６に取り付けられた撮像装置２は、地上からｈｏの高さから斜め下方向を撮像する。このような斜め下方向の撮像画像を鳥瞰画像という。一方、撮像対象の真上に撮像装置２’を配置して、そこから真下方向を撮像した画像を俯瞰画像という。
【００３８】
したがって、以下において、撮像装置２による撮像画像を鳥瞰画像と記載する場合がある。
【００３９】
図４は、鳥瞰画像を俯瞰画像に変換（視点変換）する手法を説明するための図である。
【００４０】
図４は、撮像装置２の座標系ＸＹＺと、撮像装置２の撮像面Ｓの座標系ＸbuＹbuと、２次元地面座標系Ｘｗ Ｚｗ を含む世界座標系Ｘw Ｙw Ｚw との関係を示している。
【００４１】
撮像装置２の座標系ＸＹＺでは、撮像装置２の光学中心を原点Ｏとして、光軸方向にＺ軸が、Ｚ軸に直交しかつ地面に平行な方向にＸ軸が、Ｚ軸およびＸ軸に直交する方向にＹ軸がとられている。
【００４２】
撮像面Ｓの座標系ＸbuＹbuでは、撮像面Ｓの中心に原点Ｏbuをとり、撮像面Ｓの横方向にＸbu軸が、撮像面Ｓの縦方向にＹbuがとられている。
【００４３】
世界座標系Ｘw Ｙw Ｚw では、撮像装置の座標系ＸＹＺの原点Ｏを通る垂線と地面との交点を原点Ｏw とし、地面と垂直な方向にＹw 軸が、撮像装置の座標系ＸＹＺのＸ軸と平行な方向にＸw 軸が、Ｘw 軸およびＹw 軸に直交する方向にＺw 軸がとられている。
【００４４】
図４では、撮像装置２が地面から高さｈの位置にあるとしているから、世界座標系Ｘw Ｙw Ｚw と撮像装置の座標系ＸＹＺとの間の平行移動量は〔０，ｈ，０〕である。また、Ｘ軸周りの回転量をθとしている。
【００４５】
したがって、撮像装置の座標系ＸＹＺの座標（ｘ，ｙ，ｚ）と世界座標系Ｘw Ｙw Ｚw の座標（ｘw ，ｙw ，ｚw ）との間の変換式は、次式（１）で表される。
【００４６】
【数１】
2008205928.tif 000003
また、撮像面Ｓの座標系ＸbuＹbuの座標（ｘbu，ｙbu）と、撮像装置２の座標系ＸＹＺの座標（ｘ，ｙ，ｚ）との間の変換式は、撮像装置２の焦点距離をｆとすると、次式（２）で表される。
【００４７】
【数２】
2008205928.tif 000004
以上により、鳥瞰画像を俯瞰画像に変換することができる。
【００４８】
すなわち、世界座標系Ｘw Ｙw ＺwにおけるＸw Ｚw平面上のＩｗ領域が、撮像装置２により撮像される領域であり、撮像装置２により撮像されたＩｗ領域の撮像画像（鳥瞰画像）を撮像面Ｓの座標系ＸbuＹbu上の領域Ｉに視点変換した画像が俯瞰画像となる。
【００４９】
尚、かかる視点変換処理については、特開2006-287892に詳述されている。
【００５０】
上記式（１）において、撮像装置２の地面からの高さを示すパラメータｈを実際の撮像装置２の取り付け位置であるｈoに設定する（ｈ＝ｈo）と、図３における撮像装置２’からの俯瞰画像を生成することができる。
【００５１】
また、撮像装置２の水平方向を基準とした回転量を示すパラメータθは、実際の撮像装置２の取り付け角に設定される必要がある。実際の取り付け角と異なる値が設定されると、生成された俯瞰画像に歪みが生じ、違和感のある俯瞰画像となる。本実施形態では、撮像装置２の取り付け角はθoである。よってθ＝θoとすると正しい俯瞰画像を生成することができる。
【００５２】
図５（ａ）は、標識板の鳥瞰画像である。図５（ｂ）は図５（ａ）の鳥瞰画像を俯瞰画像へ変換した図である。図５（ｃ）は、撮像装置２の取り付け角θoと式（１）で設定したθが相違する場合の俯瞰画像である。図５（ｃ）では、生成された俯瞰画像は歪んでおり、実際は長方形の標識板が台形形状となってしまっている。
【００５３】
画像制御部７は、制御信号生成部９からの出力信号に応じて、画像切替部６に対して俯瞰画像の生成、元の鳥瞰画像の出力、あるいは表示制御部１０に対して画像切替部６から出力される画像の回転又は上下左右への移動を指示する。
【００５４】
図６は、表示装置４の表示画面を示している。
【００５５】
図６では、表示画面の中心を原点Ｏｄとして、表示画面の水平方向をＸｄ軸、垂直方向をＹｄ軸としたＸｄ-Ｙｄ座標系を設定している。
【００５６】
画像を回転させるとは、表示画面に表示されている画像（ガイドを除く）を原点Ｏｄを中心としてＸｄ軸から所定角度回転させることをいう。
【００５７】
また、画像を移動するとは、表示画面に表示されている画像（ガイドを除く）をＸｄ軸或いはＹｄ軸に平行に所定量だけ移動させることをいう。
【００５８】
ガイド制御部８は、制御信号生成部９からの制御信号に応じて、表示制御部１０に対して俯瞰画像用のガイド或いは鳥瞰画像用のガイドを出力する。
【００５９】
ここで、俯瞰画像用のガイドと鳥瞰画像用のガイドとは、その構成は同一である。ただし、俯瞰画像用のガイドは、上空から真下方向を見下ろした（俯瞰した）場合に視覚に映る形態で表示されたガイドである。一方、鳥瞰画像用のガイドは上空から斜め下方向を見下ろした（鳥瞰した）場合に視覚に映る形態で表示されたガイドである。
【００６０】
また、ガイド制御部８は、制御信号生成部９からの制御信号に応じて、表示制御部１０に対してガイドの回転、或いは上下左右への移動を指示する。
【００６１】
図７は、表示装置４の表示画面にガイド３０１を１本だけ表示した図を示している。  図７では、表示画面の中心を原点Ｏｄとして、表示画面の水平方向をＸｄ軸、垂直方向をＹｄ軸としたＸｄ-Ｙｄ座標系に加えて、ガイド３０１の中点を原点Ｏｇ、表示画面の水平方向をＸｇ軸、垂直方向をＹｇ軸としたＸｇ-Ｙｇ座標系を設定している。
【００６２】
ガイドを回転させるとは、表示画面に表示されているガイド３０１を原点Ｏｇを中心としてＸｇ軸から所定量だけ回転させることをいう。
【００６３】
また、ガイドを上下左右に移動するとは、Ｘｄ-Ｙｄ座標系において、ガイド３０１をＸｄ軸或いはＹｄ軸に平行に所定の移動量だけ移動させることをいう。
【００６４】
表示制御部１０は、画像切替部１０から出力される画像とガイド制御部８から出力されるガイドを重畳して出力する。また、ガイド制御部８からのガイドの移動又は回転指示にしたがって表示装置４に表示されるガイドを移動又は回転させる。同様に、画像制御部７からの画像の移動又は回転指示にしたがって表示装置４に表示される画像を移動又は回転させる。
【００６５】
したがって、表示装置４には、画像（鳥瞰画像又は俯瞰画像）とガイド（鳥瞰画像用のガイド又は俯瞰画像用のガイド）とが重畳して表示される。
【００６６】
制御信号生成部９は、ユーザIF５からの操作信号に対応する制御信号を生成し、ガイド制御部８及び画像制御部７へ出力する。
【００６７】
次に以下において、運転支援システム１の機能についてさらに詳しく説明する。
【００６８】
ユーザＩＦ５は、表示装置４に表示されている画像（鳥瞰画像又は俯瞰画像）或いはガイド（鳥瞰画像用のガイド又は俯瞰画像用のガイド）について、ユーザから下記（１）〜（７）の操作を受け付けることができる。
【００６９】
（１）画像の水平方向又は垂直方向への移動操作。
【００７０】
（２）画像の回転操作。
【００７１】
（３）俯瞰画像のパラメータθ或いはパラメータｈの変更操作。
【００７２】
（４）俯瞰画像から鳥瞰画像への切り替え操作。
【００７３】
（５）鳥瞰画像から俯瞰画像への切り替え操作。
【００７４】
（６）ガイドの水平方向又は垂直方向への移動操作。
【００７５】
（７）ガイドの回転操作。
【００７６】
ユーザＩＦ５は、これらの操作に対応した操作信号を生成し、制御信号生成部９へ出力する。
【００７７】
制御信号生成部９は、上記（１）〜（５）の操作信号を受け付けると、これらに対応した制御信号を生成し、画像制御部７へ出力する。
【００７８】
また、（４）〜（７）の操作信号を受け付けると、これらに対応した制御信号を生成し、ガイド制御部８へ出力する。
【００７９】
画像制御部７は、（１）の制御信号を受け取ると、当該制御信号に基づいて、表示装置４に表示されている画像の水平方向の移動量及び垂直方向の移動量を導出し、画表示制御部１０へ画像の移動指示とともに出力する。
【００８０】
このとき、表示装置４に表示されている画像が俯瞰画像であれば、導出した移動量を俯瞰画像の画像移動量として、備え付けられている画像調整量記憶部（図示せず。）に記憶するとともに、当該画像移動量からこの俯瞰画像に対応する鳥瞰画像を表示する場合の移動量も導出し、鳥瞰画像の画像移動量として画像調整量記憶部に記憶する。
【００８１】
逆に、表示されている画像が鳥瞰画像であれば、鳥瞰画像の画像移動量として画像調整量記憶部に記憶するとともに、この鳥瞰画像に対応する俯瞰画像を表示する場合の移動量も導出し、俯瞰画像の画像移動量として画像調整量記憶部に記憶する。
【００８２】
画像制御部７は、（２）の制御信号を受け取ると、当該制御信号に基づいて、表示装置４に表示されている画像の回転量を導出し、表示制御部１０へ画像の回転指示とともに出力する。
【００８３】
このとき、表示装置４上に表示されている画像が俯瞰画像であれば、導出した回転量を俯瞰画像の画像回転量として画像調整量記憶部に記憶するとともに、当該画像回転量からこの俯瞰画像に対応する鳥瞰画像を表示する場合の回転量も導出し、鳥瞰画像の画像回転量として画像調整量記憶部に記憶する。
【００８４】
逆に、表示されている画像が鳥瞰画像であれば、鳥瞰画像の画像回転量として画像調整量記憶部に記憶するとともに、この鳥瞰画像に対応する俯瞰画像を表示する場合の回転量も導出し、俯瞰画像の画像回転量として画像調整量記憶部に記憶する。
【００８５】
画像制御部７は、（３）の制御信号を受け取ると、当該制御信号に基づいてパラメータθ或いはｈの値を導出して、画像調整量記憶部に記憶する。そして、画像切替部６に導出したθ或いはｈに対応した俯瞰画像を生成させるとともに、画像調整量記憶部に記憶されている俯瞰画像の画像移動量及び画像回転量に基づいて、表示制御部１０へ当該俯瞰画像の移動及び回転を指示する。
【００８６】
尚、ユーザＩＦ５が（３）の操作を受け付けるのは、表示装置４に俯瞰画像が表示されている場合に限られる。
【００８７】
画像制御部７は、（４）の制御信号を受け取ると、画像切替部６に鳥瞰画像を出力させる。
【００８８】
このとき、画像調整量記憶部に鳥瞰画像の画像移動量および画像回転量が記憶されている場合には、当該移動量及び回転量に基づいて、表示制御部１０へ当該鳥瞰画像の移動及び回転を指示する。
【００８９】
尚、ユーザＩＦ５が（４）の操作を受け付けるのは、表示装置４に俯瞰画像が表示されている場合に限られる。
【００９０】
画像制御部７は、（５）の制御信号を受け取ると、画像切替部６に俯瞰画像を生成させる。
【００９１】
このとき、画像調整量記憶部に俯瞰画像の画像移動量および画像回転量が記憶されている場合には、当該移動量及び回転量に基づいて、表示制御部１０へ当該俯瞰画像の移動及び回転を指示する。
【００９２】
尚、ユーザＩＦ５が（５）の操作を受け付けるのは、表示装置４に鳥瞰画像が表示されている場合に限られる。
【００９３】
ガイド制御部８は、（４）の制御信号を受け取ると、鳥瞰画像用ガイドを表示制御部１０へ出力する。
【００９４】
このとき、備え付けられているガイド調整量記憶部（図示せず。）に、鳥瞰画像用ガイド移動量及び鳥瞰画像用ガイド回転量が記憶されている場合には、当該移動量及び回転量に基づいて、表示制御部１０へ鳥瞰画像用ガイドの移動及び回転を指示する。
【００９５】
尚、上記したようにユーザＩＦ５が（４）の操作を受け付けるのは、表示装置４に俯瞰画像が表示されている場合に限られる。
【００９６】
ガイド制御部８は、（５）の制御信号を受け取ると、俯瞰画像用ガイドを表示制御部１０へ出力する。
【００９７】
このとき、ガイド調整量記憶部に俯瞰画像用ガイド移動量及び俯瞰画像用ガイド回転量が記憶されている場合には、当該移動量及び回転量に基づいて、表示制御部１０へ俯瞰画像用ガイドの移動及び回転を指示する。
【００９８】
尚、上記したようにユーザＩＦ５が（５）の操作を受け付けるのは、表示装置４に鳥瞰画像が表示されている場合に限られる。
【００９９】
ガイド制御部８は、（６）の制御信号を受け取ると、当該制御信号に基づいて、表示装置４に表示されているガイドの水平方向の移動量及び垂直方向の移動量を導出し、表示制御部１０へガイドの移動指示とともに出力する。
【０１００】
このとき、表示装置４上に表示されている画像が俯瞰画像であれば、導出した移動量を俯瞰画像用ガイド移動量としてガイド調整量記憶部に記憶するとともに、当該ガイド移動量から鳥瞰画像用ガイドを表示する場合の移動量も導出し、鳥瞰画像用ガイド移動量としてガイド調整量記憶部に記憶する。
【０１０１】
逆に、表示されている画像が鳥瞰画像であれば、鳥瞰画像用ガイド移動量としてガイド調整量記憶部に記憶するとともに、俯瞰画像用ガイドを表示する場合の移動量も導出し、俯瞰画像用ガイド移動量としてガイド調整量記憶部に記憶する。
【０１０２】
ガイド制御部８は、（７）の制御信号を受け取ると、当該制御信号に基づいて、表示装置４に表示されているガイドの回転量を導出し、表示制御部１０へガイドの回転指示とともに出力する。
【０１０３】
このとき、表示装置４上に表示されている画像が俯瞰画像であれば、導出した回転量を俯瞰画像用ガイド回転量としてガイド調整量記憶部に記憶するとともに、当該ガイド回転量から鳥瞰画像用ガイドを表示する場合の回転量も導出し、鳥瞰画像用ガイド回転量としてガイド調整量記憶部に記憶する。
【０１０４】
逆に、表示されている画像が鳥瞰画像であれば、鳥瞰画像用ガイド回転量としてガイド調整量記憶部に記憶するとともに、俯瞰画像用ガイドを表示する場合の回転量も導出し、俯瞰画像用ガイド回転量としてガイド調整量記憶部に記憶する。
【０１０５】
尚、上記説明では、画像調整量記憶部とガイド調整量記憶部を別々の記憶部として記述しているが、一つの共通の記憶部としてもよい。
【０１０６】
次に以下において、運転支援システム１を利用して、表示装置４に表示された画像及びガイドを調整する方法について説明する。  尚、以下では、表示された画像（鳥瞰画像又は俯瞰画像）及びガイド（鳥瞰画像用ガイド又は俯瞰画像用ガイド）を併せてガイド等と記載する場合がある。
【０１０７】
運転支援システム１は、ガイド等を調整するモードを備えており、ユーザは、かかるモードにおいてガイド等の調整が可能となる。
【０１０８】
図８は、ガイド等の調整を行う場合の、車両６の配置及び使用する補助具２２〜２７の配置を示している。
【０１０９】
図８では、車両６が、例えば、駐車場など、平行線２０及び２１が地面に描かれた場所に配置されていることを示している。
【０１１０】
また、図８では、撮像装置２が車両６の中線よりやや左側にずれた位置に取り付けられている。
【０１１１】
尚、車両６に対して左か右かは、車両６の前方向を基準として決定している。
【０１１２】
車両６は、その右端及び左端の線が平行線２０及び２１に平行となるように配置されている。
【０１１３】
補助具２２及び２５は車両６の右端の延長線上に配置され、補助具２４及び２７は車両６の左端の延長線上に配置されている。補助具２３及び２６は、車両６の中線上に配置されている。
【０１１４】
また、補助具２２〜２４は、車両６の後端から０．５ｍの位置に配置され、補助具２５〜２７は車両６の後端から２．０ｍの位置に配置されている。
【０１１５】
図８の配置において、撮像装置２は、平行線２０及び２１並びに補助具２２〜２７を撮像することができる。
【０１１６】
図９は、平行線２０及び２１並びに補助具２２〜２７の撮像画像（鳥瞰画像）と鳥瞰画像用のガイド２８〜３２とが重畳して表示装置４に表示されている図である。
【０１１７】
尚、図９において、鳥瞰画像用のガイド２８〜３２はガイド制御部８によって表示される。
【０１１８】
ガイド２８は車両６の右端の延長線を、３０は車両６の左端の延長線を示すためのガイドである。ガイド２９は車両６の中線を示すためのガイドである。ガイド３１及び３２はそれぞれ車両６の後端から０．５ｍ及び２．０ｍの位置を示すためのガイドである。
【０１１９】
したがって、各ガイドは、表示装置４において少なくとも以下の条件を全て満たすように表示されなければならない。
【０１２０】
（１）ガイド２８は、補助具２２及び２５上を通る。
【０１２１】
（２）ガイド２９は、補助具２３及び２６上を通る。
【０１２２】
（３）ガイド３０は、補助具２４及び２７上を通る。
【０１２３】
（４）ガイド３１は、補助具２２、２３、２４上を通る。
【０１２４】
（５）ガイド３２は、補助具２５、２６、２７上を通る。
【０１２５】
しかしながら、図９に示すごとく、各ガイドは上記（１）〜（５）の条件を満たしていない。すなわちガイド等が正しく表示されていない。
【０１２６】
したがって、運転支援システム１において、以下の操作が行われることにより、上記（１）〜（５）を満たすようにガイド等を調整することができる。
【０１２７】
（１）鳥瞰画像から俯瞰画像への切り替え操作。
【０１２８】
鳥瞰画像から俯瞰画像への切り替え操作が行われると、画像制御部７は、画像切替部６に俯瞰画像を生成させる。
【０１２９】
また、ガイド制御部８が、俯瞰画像用ガイドを表示制御部１０へ出力する。
【０１３０】
尚、俯瞰画像を生成する際に使用されるパラメータθが適切でない場合は、表示装置４に表示される俯瞰画像が歪を持つこととなる。かかる場合、「俯瞰画像のパラメータθの変更操作」によりθが適切な値に変更されると、当該歪は解消される。
【０１３１】
図１０は、図９の鳥瞰画像が俯瞰画像に変換されて表示され、俯瞰画像用ガイドがその上に重畳されて表示された図である。
【０１３２】
図１０より、俯瞰画像がガイド２８、２９及び３０と比較して、幾分傾いて表示されていることが分かる。
【０１３３】
（２）画像（俯瞰画像）の回転操作。
【０１３４】
表示されている俯瞰画像に対し、所定の回転量の回転操作が行われると、画像制御部７は、表示制御部１０へ当該回転量だけ俯瞰画像の回転を指示する。
【０１３５】
このとき、画像制御部７は、画像調整量記憶部に当該回転量を俯瞰画像の画像回転量として記憶するとともに、当該回転量からこの俯瞰画像に対応する鳥瞰画像を表示するときの回転量も導出し、鳥瞰画像の回転量として記憶する。
【０１３６】
図１１は、俯瞰画像を所定回転量だけ回転した図を示している。
【０１３７】
図１１では、俯瞰画像の傾きが修正されていることが分かる。しかしながら、ガイド２８、２９及び３０は、対応する補助具の上を通過していないため、各ガイドは水平方向に幾分ずれていることが分かる。
【０１３８】
（３）画像（俯瞰画像）の水平方向への移動操作。
【０１３９】
表示されている俯瞰画像に対し、水平方向へ所定の移動量の移動操作が行われると、画像制御部７は、表示制御部１０へ当該移動量だけ俯瞰画像の移動を指示する。
【０１４０】
このとき、画像制御部７は、画像調整量記憶部に当該移動量を俯瞰画像の画像移動量として記憶するとともに、当該移動量からこの俯瞰画像に対応する鳥瞰画像を表示するときの移動量も導出し、鳥瞰画像の移動量として記憶する。
【０１４１】
図１２は、俯瞰画像を所定の移動量だけ水平方向へ移動した図を示している。
【０１４２】
図１２によると、俯瞰画像及び俯瞰画像用ガイドが、上記（１）〜（５）の条件をすべて満たしていることが分かる。
【０１４３】
以上の操作により、ガイド等が適切に表示されることとなる。
【０１４４】
尚、例えば、図１２の俯瞰画像が大き過ぎて見難い等の不便がある場合には、「俯瞰画像のパラメータｈの変更操作」が行われることによりかかる不便が解消される。
【０１４５】
かかる操作が行われると、画像制御部７は、変更されたｈに基づく俯瞰画像を画像切替部６に生成させる。
【０１４６】
例えば、パラメータｈが、より大きい値に変更されると俯瞰画像の視点位置（図４における撮像装置２’の高さ）が高くなり、表示装置４に表示される俯瞰画像の大きさが全体的に縮小されるとともに、地面上のより広範囲の領域が表示されることとなる。
【０１４７】
図１３は、パラメータｈを大きくなるように変更した場合の俯瞰画像である。図１３と図１２の俯瞰画像を比較すると、図１３では、視点位置が高くなったことにより、表示される俯瞰画像が縮小され、かつより広範囲の領域が表示されている。
【０１４８】
尚、俯瞰画像用ガイドの表示については、なんら変更されないため、再度調整操作が必要となる。
【０１４９】
（４）俯瞰画像から鳥瞰画像への切り替え操作。
【０１５０】
図１２の俯瞰画像及び俯瞰画像用ガイドが表示されている場合に、鳥瞰画像への切り替え操作が行われると、画像制御部７は、画像切替部６に鳥瞰画像を出力させる。また、ガイド制御部８は、鳥瞰画像用のガイドを表示制御部１０へ出力する。
【０１５１】
この際、画像制御部７は、画像調整量記憶部に記憶されている鳥瞰画像の移動量及び回転量に基づいて、表示制御部１０へ鳥瞰画像の移動及び回転を指示する。
【０１５２】
したがって、鳥瞰画像及び鳥瞰画像用ガイドが表示される場合のガイド等の調整は既に完了していることになる。
【０１５３】
図１４は、図１２の俯瞰画像及び俯瞰画像用ガイドの表示を鳥瞰画像及び鳥瞰画像用ガイドの表示に切り替えて表示した図である。
【０１５４】
図１４では、表示されている鳥瞰画像及び鳥瞰画像用ガイドは、上記（１）〜（５）の条件を満たしており、鳥瞰画像及び鳥瞰画像用ガイドが正しく表示されていることが分かる。
【０１５５】
以上の操作により、運転支援システム１によるガイド等の調整が完了する。
【０１５６】
尚、上記では、表示された俯瞰画像を回転あるいは移動させる操作を説明しているが、鳥瞰画像に対しても同様の操作を行うことができる。この場合においても、鳥瞰画像に対する調整が俯瞰画像にも反映される。
【０１５７】
また、回転や移動は俯瞰画像用ガイド又は鳥瞰画像用ガイドに対して行うこととしてもよい。この場合においても、俯瞰画像用ガイドに対する調整は、鳥瞰画像用ガイドにも反映され、鳥瞰画像用ガイドに対する調整は、俯瞰画像用ガイドにも反映される。
【０１５８】
さらにまた、本実施形態では、撮像装置２からの撮像画像を鳥瞰画像としている。  しかしながら、撮像装置２により撮像された画像は、その周辺部に歪が発生する場合がある。このような場合、当該画像に歪補正処理を施す必要がある。
【０１５９】
したがって、撮像装置２により撮像された画像に対して歪補正処理を施した画像を鳥瞰画像としてもよい。
【０１６０】
以上のように、本実施形態に係る運転支援システム１によると、表示装置４に鳥瞰表示（上空から斜め下方向を見下ろしたような表示）された画像及びガイドのずれを修正して希望とおりに表示されるように調整する場合に、ユーザは表示されている画像及びガイドをいわゆる俯瞰表示（上空から真下方向を見下ろしたような表示）に変換してからずれの修正や調整をすることができるため、比較的簡便な操作で修正及び調整することができる。
【０１６１】
また、俯瞰表示における画像及びガイドに施した修正や調整が鳥瞰表示における画像及びガイドにも反映されているため、ユーザは鳥瞰表示された画像及びガイドに対して再度修正や調整を施す必要がなくなり、よって二度手間な作業を失くすことができる。
【０１６２】
これらのことから、本実施形態に係る運転支援システム１によると、従来の運転支援システムに比べて、利便性が向上することとなる。
【図面の簡単な説明】
【０１６３】
【図１】本発明の実施の形態に係る運転支援システムの全体構成図である。
【図２】運転支援システムを車両に搭載した場合の構成図である。
【図３】鳥瞰画像と俯瞰画像の相違を説明するための図である。
【図４】鳥瞰画像から俯瞰画像を生成する方法を説明するための図である。
【図５】異なる俯角を用いて生成された俯瞰画像を示す図である。
【図６】表示装置４に表示される画像の移動及び回転を説明するための図である。
【図７】表示装置４に表示されるガイドの移動及び回転を説明するための  図である。
【図８】表示装置４に表示される画像およびガイドを調整するための車両  の配置を示す図である。
【図９】ガイド調整中に撮像された鳥瞰画像と鳥瞰画像用ガイドの表示を示す図である。
【図１０】ガイド調整中の俯瞰画像と俯瞰画像用ガイドの表示を示す図である。
【図１１】ガイド調整中の俯瞰画像と俯瞰画像用ガイドの表示を示す図である。
【図１２】ガイド調整中の俯瞰画像と俯瞰画像用ガイドの表示を示す図である。
【図１３】ガイド調整中の俯瞰画像と俯瞰画像用ガイドの表示を示す図である。
【図１４】ガイド調整中の鳥瞰画像と鳥瞰画像用ガイドの表示を示す図である。
【図１５】従来の運転支援システムを車両に搭載した場合の構成図である。
【図１６】ガイドの調整に使用する標識板を示す図である。
【図１７】ガイドと鳥瞰画像とがずれていることを示す図である。
【図１８】ガイドと鳥瞰画像とが正しく表示されていることを示す図である。
【０１６４】
１  運転支援システム
２  撮像装置
４  表示装置
５  ユーザＩＦ
６  画像切替部
７  画像制御部
８  ガイド制御部
９  制御信号生成部  
１０  表示制御部  
【図１】
2008205928.tif 000005
【図２】
2008205928.tif 000006
【図３】
2008205928.tif 000007
【図４】
2008205928.tif 000008
【図５】
2008205928.tif 000009
【図６】
2008205928.tif 000010
【図７】
2008205928.tif 000011
【図８】
2008205928.tif 000012
【図９】
2008205928.tif 000013
【図１０】
2008205928.tif 000014
【図１１】
2008205928.tif 000015
【図１２】
2008205928.tif 000016
【図１３】
2008205928.tif 000017
【図１４】
2008205928.tif 000018
【図１５】
2008205928.tif 000019
【図１６】
2008205928.tif 000020
【図１７】
2008205928.tif 000021
【図１８】
2008205928.tif 000022